(57)【特許請求の範囲】
【請求項１】
支持体の一方の面上に、剥離層、光回折構造（ＯＶＤ）層、接着層を積層すると共に、前記支持体のもう一方の面上に、バックコート層を積層して構成される転写シートであって、
前記ＯＶＤ層に形成するＯＶＤパターンを、特定の観察点における観察色がＲＧＢ（赤色、緑色、青色）の３原色のいずれかになるような空間周波数を有する３種類のＯＶＤとし、各々のＯＶＤが形成されたエリアを交互に配置して成り、
前記ＯＶＤが形成されたエリアの中心を基準に、観察点からの角度に合わせてＯＶＤの空間周波数を変化させ、観察点での色収差を該エリアごとに修正したことを特徴とする転写シート。
【請求項２】
支持体の一方の面上に、剥離層、光回折構造（ＯＶＤ）層、接着層を積層すると共に、前記支持体のもう一方の面上に、バックコート層を積層して構成される転写シートを用いて、被転写体にサーマルヘッドにより微小面積のドット形状で転写して網点画像を形成することにより製造される画像表示媒体であって、
前記ＯＶＤのドットが、特定の観察点における観察色がＲＧＢ（赤色、緑色、青色）の３原色のいずれかになるような空間周波数を有する３種類のＯＶＤパターンを組み合わせて成り、
画像の中心にある前記ＯＶＤのドットを基準に、観察点からの角度に合わせてＯＶＤの空間周波数を変化させ、観察点での色収差を画像表示媒体全体で修正したことを特徴とする画像表示媒体。
【請求項３】
支持体の一方の面上に、剥離層、光回折構造（ＯＶＤ）層、接着層を積層すると共に、前記支持体のもう一方の面上に、バックコート層を積層して構成される転写シートを用いて、あらかじめ画像を印字した被転写体にサーマルヘッドにより微小面積のドット形状で前記印字画像の上に位置的にずらして重なるように転写して網点画像を形成することにより製造される画像表示媒体であって、
前記ＯＶＤのドットが、特定の観察点における観察色がＲＧＢ（赤色、緑色、青色）の３原色のいずれかになるような空間周波数を有する３種類のＯＶＤパターンを組み合わせて成り、
画像の中心にある前記ＯＶＤのドットを基準に、観察点からの角度に合わせてＯＶＤの空間周波数を変化させ、観察点での色収差を画像表示媒体全体で修正したことを特徴とする画像表示媒体。
【発明の詳細な説明】
【０００１】
【発明の属する技術分野】
本発明は、例えばクレジットカード、有価証券、証明書類等の各種物品に転写して貼着される画像表示媒体、およびサーマルヘッドにより加熱、転写せしめるサーマル転写方式により画像を形成して画像表示媒体を製造するのに用いる転写シートに係り、特にホログラムや回折格子のような光回折構造（以下、ＯＶＤ：Ｏｐｔｉｃａｌ  Ｖａｒｉａｂｌｅ  Ｄｅｖｉｃｅ）で構成される画像表示媒体およびその製造に用いる転写シートに関するものである。
【０００２】
【従来の技術】
近年、光の干渉を用いて立体画像や特殊な装飾画像を表現し得る、ホログラム画像や回折格子画像のようなＯＶＤ画像の開発が進められている。
これらホログラムや回折格子のＯＶＤ技術は、高度な製造技術を要し、複製が難しいことから、有効な偽造防止手段として、例えばクレジットカード、ＩＤカード、プリペイドカード等のカード類に貼着して利用されてきている。
【０００３】
さらには、その装飾性の高さから、包装材、書籍、パンフレット、ＰＯＰ等の物品への利用も少なくない。
なお、ホログラムや回折格子のようなＯＶＤは、微細な凹凸パターンや屈折率の異なる縞状パターン等の回折構造からなっており、ここでは、上記ホログラム画像やまた回折格子画像等の光学的に画像を表現した技術を、ＯＶＤと総称して用いることにする。
【０００４】
ところで、このようなＯＶＤを物品に貼着するための手段としては、従来から、転写シ一卜を用いてＯＶＤを転写形成する方法が用いられている。
以下に、従来のＯＶＤ画像の形成方法について簡単に説明する。
【０００５】
図９は、従来のホログラム転写シートの構成例を示す断面図である。
すなわち、ホログラム転写シートは、図９に示すように、支持体としての基材９１の一方の面上に、剥離層９２が形成され、この剥離層９２上に、ホログラムあるいは回折格子等のＯＶＤパターンを設けたレリーフ層９３１と、レリーフ層９３１のレリーフ形成面を覆うように設けた反射薄膜性層９３２とからなるＯＶＤ層９３が形成されている。
【０００６】
また、このＯＶＤ層９３の反射薄膜性層９３２上には、接着層９４が形成されている。
さらに、基材７１のもう一方の面上には、バックコート層７５が形成されている。
【０００７】
なお、上記説明および以後の説明においては、断面図と説明文では図示上下の関係が逆になっているが、上下の関係は転写シートを観察する方向（または、物品に転写形成する場合の使用状態）に応じて変更するため、本質的なことではない。
【０００８】
また、レリーフ層９３１のレリーフ形成面は、基材９１の反対側に存在し、物品表面に転写形成した場合、剥離層９２は基材９１との界面にて剥離し、物品側に移行して保護層としても機能することになるため、「剥離性保護層」と称することもある。
【０００９】
さらに、基材９１を除いた、物品側に移行する各層を総称して「転写層」と称することにする。
さらにまた、各図面は、転写シートの構成を模式的に表現するものであり、各層の厚さ等の寸法は、実際の製造物に則したものではない。
【００１０】
一方、ホログラムは、一般的に光学的な撮影方法により、微細な凹凸パターンからなるレリーフ型のマスターホログラムを作製し、これから電気メッキ法により、凹凸パタ一ンを複製したニッケル製のプレス版を複製し、このプレス版をホログラム形成層９３１上に加熱押圧するという周知の方法により、大量複製が行なわれている。そして、このタイプのホログラムは、レリーフ型ホログラムと称されている。
【００１１】
また、レリーフ型ホログラムとは異なり、感光性樹脂等の記録材を用いて、体積方向に干渉縞を記録する体積型ホログラムと称されるものもある。そして、この型のホログラムでは、リップマンホログラムと呼ばれるものが一般に使用されており、これは感光性樹脂の屈折率を体積方向に変化させて、反射型ホログラムとしたものである。
【００１２】
さらに、この立体画像を再生し得るホログラム画像とは異なり、微小なエリアに複数種類の単純な回折格子を配置して画素とし、画像を表現するグレーティングイメージ、ピクセルグラムといった回折格子画像もまた、レリーフ型ホログラムと同様な方法で大量複製が行なわれ、偽造防止手段として、例えばクレジットカード、有価証券、証明書類等の物品に貼着して使用されている。
【００１３】
一方、大量複製されたＯＶＤを有する転写シートを、転写、貼着する方法としては、金属の加熱された刻印と被転写体との間に転写シートを配置し、転写シートを刻印で被転写体に押圧するホットスタンプ方式が一般的であり、この他にも、加熱された刻印の代わりに、加熱されたロールを使用するロール転写方式等が利用されている。
【００１４】
また、これらＯＶＤを有する転写シートを、カード類のオーバーコートとして使用する動きも拡がってきており、この関連でサーマルヘッドを用いて転写シートを転写するサーマルヘッド転写方式も利用されている。
【００１５】
【発明が解決しようとする課題】
しかしながら、これら前述したホログラムや回折格子のようなＯＶＤは、オリジナルからの同一画像を大量複製して貼着することには適しているが、例えば顔写真やＩＤ画像等の一枚一枚異なる画像を貼着することができないという問題がある。
【００１６】
従って、特にＯＶＤを偽造防止手段として、例えばクレジットカード、有価証券、証明書類等の物品に貼着して使用する場合にはあまり好ましくない。
本発明の目的は、複数の被転写体に一枚一枚異なるＯＶＤ画像を貼着することが可能な転写シートを提供することにある。
【００１７】
また、本発明の目的は、特定の観察点で観察した場合に、色収差のない真正なフルカラー画像を視認できるようなＯＶＤ画像を被転写体に貼着することが可能な転写シートを提供することにある。
【００１８】
一方、本発明の目的は、一枚一枚異なるＯＶＤ画像を有する画像表示媒体を提供することにある。
また、本発明の目的は、一枚一枚異なるＯＶＤ画像を有し、かつ独特の装飾効果を有する画像表示媒体を提供することにある。
【００１９】
さらに、本発明の目的は、特定の観察点で観察した場合に、色収差のない真正なフルカラー画像を視認できるようなＯＶＤ画像を有する画像表示媒体を提供することにある。
【００２０】
【課題を解決するための手段】
上記の目的を達成するために、
請求項１の発明の転写シートでは、支持体の一方の面上に、剥離層、光回折構造（ＯＶＤ）層、接着層を積層すると共に、支持体のもう一方の面上に、バックコート層を積層して構成される転写シートであって、ＯＶＤ層に形成するＯＶＤパターンを、特定の観察点における観察色がＲＧＢ（赤色、緑色、青色）の３原色のいずれかになるような空間周波数を有する３種類のＯＶＤとし、各々のＯＶＤが形成されたエリアを交互に配置して成る。更に、ＯＶＤが形成されたエリアの中心を基準に、観察点からの角度に合わせてＯＶＤの空間周波数を変化させ、観察点での色収差を該エリアごとに修正している。
【００２１】
従って、請求項１の発明の転写シートにおいては、ＯＶＤ層に形成するＯＶＤパターンを、特定の観察点における観察色がＲＧＢ（赤色、緑色、青色）の３原色のいずれかになるような空間周波数を有する３種類のＯＶＤとし、各々のＯＶＤが形成されたエリアを交互に配置した転写シートを用い、転写する際にＲＧＢ（赤色、緑色、青色）のＯＶＤパターンを組み合わせて転写することにより、複数の被転写体に一枚一枚異なるＯＶＤ画像を貼着することができる。更に、ＯＶＤが形成されたエリアの中心を基準に、観察点からの角度に合わせてＯＶＤの空間周波数を変化させ、観察点での色収差を該エリアごとに修正した転写シートを用い、画像の中心をＯＶＤが形成されたエリアの中心に配置して、ＯＶＤパターンを転写することにより、特定の観察点で観察した場合に、色収差のない真正なフルカラー画像を視認できるようなＯＶＤ画像を貼着することができる。
【００２４】
一方、請求項２の発明の画像表示媒体では、支持体の一方の面上に、剥離層、光回折構造（ＯＶＤ）層、接着層を積層すると共に、支持体のもう一方の面上に、バックコート層を積層して構成される転写シートを用いて、被転写体にサーマルヘッドにより微小面積のドット形状で転写して網点画像を形成することにより製造される画像表示媒体であって、ＯＶＤのドットが、特定の観察点における観察色がＲＧＢ（赤色、緑色、青色）の３原色のいずれかになるような空間周波数を有する３種類のＯＶＤパターンを組み合わせて成る。更に、画像の中心にあるＯＶＤのドットを基準に、観察点からの角度に合わせてＯＶＤの空間周波数を変化させ、観察点での色収差を画像表示媒体全体で修正している。
【００２５】
従って、請求項２の発明の画像表示媒体においては、ＯＶＤのドットが、特定の観察点における観察色がＲＧＢ（赤色、緑色、青色）の３原色のいずれかになるような空間周波数を有する３種類のＯＶＤパターンを組み合わせていることにより、一枚一枚異なるＯＶＤ画像を有する画像表示媒体を得ることができる。更に、画像の中心にあるＯＶＤのドットを基準に、観察点からの角度に合わせてＯＶＤの空間周波数を変化させ、観察点での色収差を画像表示媒体全体で修正することにより、特定の観察点で観察した場合に、色収差のない真正なフルカラー画像を視認できるようなＯＶＤ画像を有する画像表示媒体を得ることができる。
【００２６】
また、請求項３の発明の画像表示媒体では、支持体の一方の面上に、剥離層、光回折構造（ＯＶＤ）層、接着層を積層すると共に、支持体のもう一方の面上に、バックコート層を積層して構成される転写シートを用いて、あらかじめ画像を印字した被転写体にサーマルヘッドにより微小面積のドット形状で印字画像の上に位置的にずらして重なるように転写して網点画像を形成することにより製造される画像表示媒体であって、ＯＶＤのドットが、特定の観察点における観察色がＲＧＢ（赤色、緑色、青色）の３原色のいずれかになるような空間周波数を有する３種類のＯＶＤパターンを組み合わせて成る。更に、画像の中心にあるＯＶＤのドットを基準に、観察点からの角度に合わせてＯＶＤの空間周波数を変化させ、観察点での色収差を画像表示媒体全体で修正する。
【００２７】
従って、請求項３の発明の画像表示媒体においては、印字画像の上に位置的にずらして重なるように形成されるＯＶＤのドットが、特定の観察点における観察色がＲＧＢ（赤色、緑色、青色）の３原色のいずれかになるような空間周波数を有する３種類のＯＶＤパターンを組み合わせていることにより、一枚一枚異なるＯＶＤ画像を有し、さらに印字画像とＯＶＤ画像を同一データで重ねることにより、独特の装飾効果を有する画像表示媒体を得ることができる。更に、画像の中心にあるＯＶＤのドットを基準に、観察点からの角度に合わせてＯＶＤの空間周波数を変化させ、観察点での色収差を画像表示媒体全体で修正することにより、特定の観察点で観察した場合に、色収差のない真正なフルカラー画像を視認できるようなＯＶＤ画像を有する画像表示媒体を得ることができる。
【００３０】
【発明の実施の形態】
以下、本発明の実施の形態について図面を参照して詳細に説明する。
（第１の実施の形態）
図１は、本実施の形態に係る転写シートの構成例を示す断面図である。
【００３１】
図１において、支持体としての基材２１の一方の面上には、剥離層２２が形成され、この剥離層２２の上には、ＯＶＤ層２３が形成されている。
本例では、ＯＶＤ層２３は、剥離層２２とは反対側の面にレリーフ型ＯＶＤ（レリーフホログラムあるいは回折格子パターン）を有するレリ一フ層２３１と、レリーフ型ＯＶＤの表面上に設けられた反射性薄膜層２３２とが、蒸着またはスパッタリング等により形成された構成となっている。
【００３２】
このレリーフ型ＯＶＤは、レリーフ型ＯＶＤを構成する微細な凹凸パターンが形成されたニッケル製のプレス版を、レリーフ層２３１上に加熱押圧する等の周知の方法により形成することが可能である。
【００３３】
また、反射性薄膜層２３２の上には、接着層２４が形成されている。
さらに、基材２１のもう一方の面（剥離層２２が形成された面とは反対側の面）上には、バックコート層２５が形成されている。
【００３４】
次に、上記転写シートを構成する各層の役割とその構成材料について詳細に説明する。
基材２１は、厚さ１２μｍの透明なポリエチレンテレフタレートフィルムである。
【００３５】
この基材２１としては、他にポリ塩化ビニル、ポリエステル、ポリカーボネート、ポリメタクリル酸メチル、ポリスチレン等の合成樹脂、天然樹脂、紙、合成紙等から単独で選択されたもの、または上記の中から選択されて組み合わされた複合体を使用することが可能である。
【００３６】
剥離層２２は、レリーフ層２３１をより効果的に被転写体（図示せず）に転写するために設けるものであり、以下のような配合比からなる組成物が、グラビア印刷法により、乾燥温度１１０℃、厚さ０．８μｍで形成されている。
【００３７】
アクリル樹脂                      …３０部
ポリエステル樹脂                  …  ５部
トルエン                          …４０部
メチルエチルケトン                …４０部
メチルイソブチルケトン            …２０部
この剥離層２２としては、他に熱可塑性アクリル樹脂、塩化ゴム系樹脂、塩化ビニル−酢酸ビニル共重合樹脂、セルロース系樹脂、塩素化ポリプロピレン樹脂、あるいはこれらにオイルシリコン、脂肪酸アミド、ステアリン酸亜鉛を添加したものを使用することが可能である。または、無機物を使用してもよい。
【００３８】
レリーフ層２３１は、エンボス成形性が良好で、プレスムラが生じ難く、明るい再生像が得られ、剥離層２２および反射性薄膜層２３２との接着性が良好である樹脂であって、以下のような配合比からなる組成物が、グラビア印刷法により、乾燥温度１１０℃、厚さ０．５μｍで形成されている。
【００３９】
塩化ビニル−酢酸ビニル共重合体    …２５部
ウレタン樹脂                      …１０部
メチルエチルケトン                …７０部
トルエン                          …３０部
また、ＯＶＤ形成面は、このような組成のレリーフ層２３１に対し、版面温度が１６５℃のプレス成型を行なうことにより形成されている。
【００４０】
なお、レリーフ層２３１としては、他にポリカーボネート樹脂、ポリスチレン樹脂、ポリ塩化ビニル樹脂等の熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレート等の熱硬化性樹脂あるいはこれらの混合物、さらにはラジカル重合性不飽和基を有する熱成型性材料等を使用することが可能であり、さらに上記以外のものでも、ＯＶＤを形成可能な安定性を有する材料であれば使用することが可能である。
【００４１】
反射性薄膜層２３２は、光線を反射する層であって、６０ｎｍの厚さのＡｌが真空蒸着法により形成されている。
この反射性薄膜層２３２を形成する方法としては、真空蒸着法の他に、スパッタリング法、イオンプレーティング法等の成膜手段を適用することが可能であり、その膜厚としては、１０ｎｍ〜１５０ｎｍの範囲にあることが好ましい。
【００４２】
なお、反射性薄膜層２３２としては、他に金属反射性を有する物質を使用することが可能であり、例えばＡｕ、Ａｇ、Ｃｕ等の金属が考えられる。
また、反射性薄膜層２３２としては、光の反射性と透過性とを合わせ持つ高屈折率透明材料を使用することも可能である。
【００４３】
すなわち、レリーフ層２３１（屈折率ｎ＝１．３〜１．５）よりも屈折率が高く、透明性を持つ材料、例えば下記の表１に示すような無機材料を使用することが可能である。
【００４４】
【表１】
0003899593.tif 000002
【００４５】
接着層２４は、以下のような配合比からなる組成物が、グラビア印刷法により、乾燥温度１１０℃、厚さ１．０μｍで形成されている。
塩化ビニル−酢酸ビニル共重合体    …３０部
ポリエステル樹脂                  …２０部
メチルエチルケトン                …５０部
トルエン                          …５０部
なお、接着層２４としては、他にも、反射性薄膜層２３２を変質させたり冒すものでなければ、通常用いられるものでよく、例えばアクリル系接着剤、ポリエステル系ポリアミド等を使用することが可能であるが、何らこれらに限定されるものではない。
【００４６】
バックコート層２５は、サーマルヘッドで転写する際のスティッキングを防止し、転写シートがサーマルヘッドに貼り付くのを防止するための層であり、以下のような配合比からなる組成物が、グラビア印刷法により、乾燥温度１１０℃、厚さ１．０μｍで形成されている。
【００４７】
ビニル系樹脂                      …５０部
イソシアネート硬化剤              …  ５部
シリコーンＷＡＸ                  …  １部
メチルエチルケトン                …５０部
トルエン…５０部
なお、バックコート層２５としては、転写シートがサーマルヘッドに貼り付くのを防止する構成であれば、通常用いられるものでよく、バインダーとしては、例えば熱可塑性アクリル樹脂、セルロース系樹脂、ポリエステル系樹脂、あるいはアクリルポリオール、ポリエステルポリオールの熱硬化性樹脂、さらにシリコーン系のＥＢ硬化性樹脂等を使用することが可能である。
【００４８】
また、これらに、スリップ剤としての各種界面活性剤、ポリエチレンＷＡＸ、シリコーンＷＡＸ等の滑剤、タルク等の充填剤を必要に応じて添加したものを使用することが可能である。
【００４９】
図２は、本実施の形態に係る転写シートの構成例を示す平面図である。
すなわち、本実施の形態の転写シートは、図２に示すように、上記ＯＶＤ層２３に形成するＯＶＤパターンを、カラー回折格子画像を得るために、ＯＶＤパターンに互いに異なる空間周波数を有する、すなわち特定の観察点における観察色がＲＧＢ（赤色，緑色，青色）の３原色のいずれかになるような空間周波数を有する３種類のＯＶＤとし、各々のＯＶＤが形成されたエリア（赤色ＯＶＤエリア１１，緑色ＯＶＤエリア１２，青色ＯＶＤエリア１３）を交互に配置して構成されている。
【００５０】
すなわち、赤色ＯＶＤエリア１１には、基本空間周波数１１４０ｌｉｎｅ／ｍｍの回折格子、緑色ＯＶＤエリア１２には、基本空間周波数１３１０ｌｉｎｅ／ｍｍの回折格子、青色ＯＶＤエリア１３には、基本空間周波数１５４０ｌｉｎｅ／ｍｍの回折格子がそれぞれ形成されており、この３種類のＯＶＤパターンを交互に配置して転写シートが構成されている。
【００５１】
ここで、基本空間周波数とは、上記ＯＶＤが形成されたエリアの中心に配置されたＯＶＤが有する空間周波数のことをいう。
なお、転写シートの送り機構を制御するために、レジスターマーク１４が同様に回折格子で形成されている。
【００５２】
一方、本実施の形態では、２光束干渉法で作製した回折格子を、上記ＯＶＤパターンとして使用している。
すなわち、本実施の形態では、特定の観察点で観察した場合に、色収差のない真正なフルカラー画像を視認できるようなＯＶＤ画像を被転写体に貼着することが可能な転写シートを作製するために、上記ＯＶＤが形成されたエリアの中心を基準に、観察点からの角度に合わせてＯＶＤの空間周波数を変化させ、観察点での色収差を修正するようにしている。
【００５３】
以下に、特定の観察点で観察した場合に、色収差のない真正なフルカラー画像を視認できるようなＯＶＤ転写シートを作製するための方法について、回折格子の場合を例にとって説明する。
【００５４】
なお、ここでは、本実施の形態の２光束干渉法による回折格子の作製方法を説明する前に、まず従来の２光束干渉法による回折格子の作製方法について述べる。
【００５５】
図７は従来の二光束干渉法による回折格子の作製方法を示す模式図、図８は従来の２光束干渉法による回折格子を用いた画像表示媒体の観察結果を示す模式図である。
【００５６】
従来の２光束干渉法による撮影では、図７に示すように、レーザー６１からのレーザー光６２を、ビームスプリッター６３で２つに分け、このビームスプリッター６３で２つに分けたレーザー光６２を、ミラー６７、対物レンズ６４、ピンホールフィルター６５、コリメータレンズ６６を通して、必要な面積の平行光束に広げ、これを必要とする空間周波数に応じて決められた角度でレジスト６８上に交差させ、２光束による干渉縞を作成してレジスト６８上に記録することにより、回折格子を作製している。
【００５７】
この方式で作製した回折格子は、平行光同士の干渉で作製しているため、どの位置においても回折格子の空間周波数は同じものとなっている。
上記回折格子を用いて作製した回折格子画像は、図８に示すように、白色平行光７２下（太陽光下）の環境で、画像表示媒体７１を観察点７３において観察すると、画像の中心部と端部では異なる色に見えてしまう。
【００５８】
これは、回折格子の空間周波数が同じであるために、画像の中心から目に入る光線の波長が必要な色となる角度で観察した場合には、画像の端部からくる観察する視点に必要な色の波長を有する光線７４は目に入らず、必要な色の波長からずれた波長を有する光線７５が、画像の端部から目に入るためである。
【００５９】
そこで、上記のような問題を解決するためには、観察点に必要な色の波長を有する光線が集光するような回折格子を作製することが必要である。
図４は本実施の形態による回折格子の作製方法を示す模式図、図５は本実施の形態による画像表示媒体の観察方法の一例を示す模式図である。
【００６０】
すなわち、図４に示すように、レーザー４１からのレーザー光４２を、ビームスプリッター４３で２つに分け、このビームスプリッター４３で２つに分けたレーザー光４２の一方を、ミラー４７、対物レンズ４４、ピンホールフィルター４５、コリメータレンズ６６を通して、必要な面積の平行光束に広げると共に、レーザー光４２の他方を、対物レンズ４４、ピンホールフィルター４５を通して、拡散光束に広げ、これらを必要とする空間周波数に応じて決められた角度でレジスト６８上に交差させ、２光束による干渉縞を作成してレジスト４８上に記録することにより、回折格子を作製している。
【００６１】
つまり、一方の光束を点光源とし、拡散光束と平行光束による干渉縞を作製してレジスト４８上に記録し、回折格子を作製している。
本実施の形態では、図５に示すように、画像表示媒体５１表面に、その天頂方向４５度から白色平行光５２を照射し、正面の０度の位置である観察点５３で観察することとしており、画像表示媒体５１表面と観察点５３との距離を３０ｃｍと規定している。
【００６２】
なお、５４は観察する視点に必要な色の波長を有する光線である。
上記のような観察方法を前提として、本実施の形態では、ＲＧＢそれぞれの色を、Ｒ光の波長６２０ｎｍ、Ｇ光の波長５４０ｎｍ、Ｂ光の波長４６０ｎｍと規定することにより、空間周波数、波長、入反射角の関係式から、ＲＧＢそれぞれのＯＶＤエリアに形成される回折格子の基本空間周波数、および周辺位置の空間周波数を決定する。
【００６３】
また、実際の撮影は、必要とするＲ、Ｇ、Ｂ光の波長と同じ波長のレーザー光を用いて、観察方法と同等の光学系で行なう。
すなわち、画像表示媒体５１と同じ位置にレジスト４８、観察点５３と同じ位置にピンホールフィルター４５を配置し、拡散光束の中心光束と平行光束の交差角度を、観察方法と同じ４５度とし、赤色ＯＶＤエリア１１の撮影には６２０ｎｍの波長のレーザー、緑色ＯＶＤエリア１２の撮影には５４０ｎｍの波長のレーザー、青色ＯＶＤエリア１３の撮影には４６０ｎｍの波長のレーザーを用いてそれぞれ撮影を行ない、レリーフ型回折格子を作製する。
【００６４】
そして、前述した公知の電気メッキ法により凹凸パターンを複製したニッケル製のプレス版を複製し、このプレス版をレリーフ層２３１上に加熱押圧するといった周知の方法により、本実施の形態に係る転写シートを作製する。
【００６５】
図３は、前述した転写シートを用いて製造された本実施の形態に係る画像表示媒体の構成例を示す平面図である。
すなわち、本実施の形態の画像表示媒体３１は、ＯＶＤ層２３に形成するＯＶＤパターンを、特定の観察点における観察色がＲＧＢの３原色のいずれかになるような空間周波数を有する３種類のＯＶＤとし、各々のＯＶＤが形成されたエリア１１，１２，１３を交互に配置して成る前述した転写シートを用いて、被転写体（本例では、白色の塩ビカードを用いる）にサーマルヘッドにより微小面積のドット形状で転写し、ＯＶＤ画像３２を網点画像として形成（貼着）することにより製造される。
【００６６】
これにより、本実施の形態の画像表示媒体３１は、ＯＶＤのドットが、特定の観察点における観察色がＲＧＢの３原色のいずれかになるような空間周波数を有する３種類のＯＶＤパターンを組み合わせたものとして得られる。
【００６７】
また、特に本実施の形態では、ＯＶＤが形成されたエリア１１，１２，１３の中心を基準に、観察点からの角度に合わせてＯＶＤの空間周波数を変化させ、観察点での色収差を修正した前述した転写シートを用いて、画像の中心をＯＶＤが形成されたエリア１１，１２，１３の中心に配置して、ＯＶＤパターンを転写（貼着）することにより、画像表示媒体３１が製造される。
【００６８】
この場合、転写層の転写は、公知のサーマル転写プリンターにて行なう。
また、ＲＧＢ分解画像の濃淡は、網点面積の大小で表現するようにデータ変換を行ない、それぞれ転写する網点面積に応じて、サーマルヘッドの発熱ドット数を増減させることにより、ＲＧＢ網点分解画像の転写、印字を行なう。
【００６９】
次に、以上のような方法により製造された本実施の形態による画像表示媒体３１においては、ＯＶＤ層２３に形成するＯＶＤパターンを、特定の観察点における観察色がＲＧＢの３原色のいずれかになるような空間周波数を有する３種類のＯＶＤとし、各々のＯＶＤが形成されたエリア１１，１２，１３を交互に配置した転写シートを用い、被転写体に転写する際にＲＧＢのＯＶＤパターンを組み合わせて転写し貼着していることにより、複数の被転写体に一枚一枚異なるＯＶＤ画像３２を有する画像表示媒体３１を得ることができる。
【００７０】
すなわち、印字データを被転写体（カード）毎に変えることにより、複数の被転写体に一枚一枚異なるＯＶＤ画像３２を転写し貼着することが可能となり、特に本画像表示媒体３１を偽造防止手段として、例えばクレジットカード、有価証券、証明書類等の物品に貼着して使用する場合には有効である。
【００７１】
また、ＯＶＤが形成されたエリア１１，１２，１３の中心を基準に、観察点からの角度に合わせてＯＶＤの空間周波数を変化させ、観察点での色収差を修正した転写シートを用い、画像の中心をＯＶＤが形成されたエリア１１，１２，１３の中心に配置して、ＯＶＤパターンを転写していることにより、特定の観察点で観察した場合に、色収差のない真正なフルカラー画像を視認できるようなＯＶＤ画像３２を有する画像表示媒体３１を得ることができる。
【００７２】
すなわち、本実施の形態の方法で製造したＯＶＤ画像３２を有する画像表示媒体３１は、従来のグレーティングイメージ、ピクセルグラムといった回折格子画像と同様の装飾効果を持ち、かつ前述の方法で特定の観察点にて観察することにより、ＲＧＢ画像デ一タに応じた色収差のない真正なフルカラー画像を観察することができる。
【００７３】
（第２の実施の形態）
本実施の形態による転写シートは、前述した第１の実施の形態における転写シートの反射性薄膜層２３２として、透明性を合わせ持つＺｎＳを使用したことのみが第１の実施の形態と異なり、その他の部分の構成、作製方法等については、全て第１の実施の形態の場合と同様である。
【００７４】
ここで、反射性薄膜層２３２は、ホログラムや回折格子等のＯＶＤを光らせるための反射性材料であり、かつ被転写体の画像情報を透過するための透明材料であって、ここでは厚さ８０ｎｍのＺｎＳが、真空蒸着法により形成されている。
【００７５】
図６は、上記転写シートを用いて製造された本実施の形態に係る画像表示媒体の構成例を示す平面図である。
本実施の形態の画像表示媒体は、前述した第１の実施の形態における画像表示媒体の製造方法と同様であり、被転写体として、熱転写プリンターと昇華性カラーリボンとを用いて、カラー画像を印字した被転写体（カード）を使用したことのみが第１の実施の形態の場合と異なる。
【００７６】
すなわち、本実施の形態の画像表示媒体８１は、ＯＶＤ層２３に形成するＯＶＤパターンを、特定の観察点における観察色がＲＧＢの３原色のいずれかになるような空間周波数を有する３種類のＯＶＤとし、各々のＯＶＤが形成されたエリア１１，１２，１３を交互に配置して成る前述した転写シートを用いて、あらかじめ熱転写プリンターと昇華性カラーリボンとを用いてカラー画像を印字して印字画像８３を形成した被転写体（本例では、白色の塩ビカードを用いる）に、サーマルヘッドにより微小面積のドット形状で転写し、ＯＶＤ画像８２を網点画像として形成（貼着）することにより製造される。
【００７７】
この場合、図６に示すように、印字したカラー画像データをＯＶＤのＲＧＢ画像データに使用し、昇華性カラーリボンで印字した印字画像８３の上に、位置的に少しずらして重なるように転写シートによるＯＶＤ画像８２を転写形成（貼着）することにより、画像表示媒体８１が製造される。
【００７８】
これにより、本実施の形態の画像表示媒体３１は、印字画像８３の上に位置的にずらして重なるように形成されるＯＶＤのドットが、特定の観察点における観察色がＲＧＢの３原色のいずれかになるような空間周波数を有する３種類のＯＶＤパターンを組み合わせたものとして得られる。
【００７９】
次に、以上のような方法により製造された本実施の形態による画像表示媒体８１においては、前述した第１の実施の形態における画像表示媒体３１の場合と同様の作用効果を有する画像表示媒体が得られるのに加えて、さらに印字画像８３と反射性および透明性を持つＯＶＤ画像８２を同じデータで重ねる、すなわち印字画像８３とＯＶＤ画像８２を同一データで重ねていることにより、独特の装飾効果を有する画像表示媒体（印字カード）８１を得ることができる。
【００８０】
【発明の効果】
以上説明したように、請求項１の発明によれば、複数の被転写体に一枚一枚異なるＯＶＤ画像を貼着することが可能な転写シートが提供できる。更に、特定の観察点で観察した場合に、色収差のない真正なフルカラー画像を視認できるようなＯＶＤ画像を被転写体に貼着することが可能な転写シートが提供できる。
【００８１】
一方、請求項２の発明によれば、一枚一枚異なるＯＶＤ画像を有する画像表示媒体が提供できる。更に、特定の観察点で観察した場合に、色収差のない真正なフルカラー画像を視認できるようなＯＶＤ画像を有する画像表示媒体が提供できる。
【００８２】
また、請求項３の発明によれば、一枚一枚異なるＯＶＤ画像を有し、かつ独特の装飾効果を有する画像表示媒体が提供できる。更に、特定の観察点で観察した場合に、色収差のない真正なフルカラー画像を視認できるようなＯＶＤ画像を有する画像表示媒体が提供できる。
【図面の簡単な説明】
【図１】本発明による転写シートの第１の実施の形態を示す断面図。
【図２】本発明による転写シートの第１の実施の形態を示す平面図。
【図３】本発明による画像表示媒体の第１の実施の形態を示す平面図。
【図４】本発明による転写シートにおける回折格子の作製方法を示す模式図。
【図５】本発明による画像表示媒体の観察方法の一例を示す模式図。
【図６】本発明による画像表示媒体の第２の実施の形態を示す平面図。
【図７】従来の２光束干渉法による回折格子の作製方法を示す模式図。
【図８】従来の２光束干渉法による回折格子を用いた画像表示媒体の観察結果を示す模式図。
【図９】従来のホログラム転写シートの構成例を示す断面図。
【符号の説明】
１１…赤色ＯＶＤエリア、
１２…緑色ＯＶＤエリア、
１３…青色ＯＶＤエリア、
１４…レジスターマーク、
２１…基材、
２２…剥離層、
２３…ＯＶＤ層、
２３１…レリーフ層、
２３２…反射性薄膜層、
２４…接着層、
２５…バックコート層、
３１…画像表示媒体、
３２…ＯＶＤ画像、
４１…レーザー、
４２…レーザー光、
４３…ビームスプリッター、
４４…対物レンズ、
４５…ピンホールフィルター、
４６…コリメータレンズ、
４７…ミラー、
４８…レジスト、
５１…画像表示媒体、
５２…白色平行光、
５３…観察点、
５４…観察する視点に必要な色の波長を有する光線、
６１…レーザー、
６２…レーザー光、
６３…ビームスプリッター、
６４…対物レンズ、
６５…ピンホールフィルター、
６６…コリメータレンズ、
６７…ミラー、
６８…レジスト、
７１…画像表示媒体、
７２…白色平行光、
７３…観察点、
７４…観察する視点に必要な色の波長を有する光線、
７５…必要な色の波長からずれた波長を有する光線、
８１…画像表示媒体、
８２…ＯＶＤ画像、
８３…印字画像、
９１…基材、
９２…剥離層、
９３…ＯＶＤ層、
９３１…レリーフ層、
９３２…反射性薄膜層、
９４…接着層。
【図１】
0003899593.tif 000003
【図２】
0003899593.tif 000004
【図３】
0003899593.tif 000005
【図４】
0003899593.tif 000006
【図５】
0003899593.tif 000007
【図６】
0003899593.tif 000008
【図７】
0003899593.tif 000009
【図８】
0003899593.tif 000010
【図９】
0003899593.tif 000011